(57)【要約】   パンチ金型（１）は、板材送り方向（Ａ）に並んで配置され、同方向（Ａ）に沿う側面が互いに同一面上に位置する第１の刃先部（４）および第２の刃先部（５）を有する。第１の刃先部（４）は、第２の刃先部（５）よりも下方に段差を持って突出し、同方向（Ａ）の下流側および上流側の下端縁が打抜き用エッジ（４ａ，４ｂ）とされ、かつ同方向（Ａ）に沿う下端縁が第１の切込み・打抜き用エッジ（４ｃ）とされる。切込み・打抜き用エッジ（４ｃ）は、同方向（Ａ）の中央部が下側に突出した形状である。第２の刃先部（５）は、同方向（Ａ）の上流側の下端縁が打抜き用エッジ（５ａ）とされ、かつ同方向（Ａ）に沿う下端縁が切込み・打抜き用エッジ（５ｃ）とされる。切込み・打抜き用エッジ（５ｃ）は、同方向（Ａ）の上流側に進むに従い上方に傾斜した形状である。
2012093523.tif 000002
【特許請求の範囲】
【請求項１】
板材に追切りを行うパンチプレスのパンチ金型であって、板材送り方向に並んで配置され、板材送り方向に沿う側面が互いに同一面上に位置する第１の刃先部および第２の刃先部を有し、
前記第１の刃先部は、前記第２の刃先部よりも下方に段差を持って突出し、板材送り方向下流側および上流側の下端縁が打抜き用エッジとされ、かつ板材送り方向に沿う下端縁が切込み・打抜き用エッジとされ、この切込み・打抜き用エッジは、板材送り方向の中央部が下側に突出した形状であり、
前記第２の刃先部は、板材送り方向上流側の下端縁が打抜き用エッジとされ、かつ板材送り方向に沿う下端縁が切込み・打抜き用エッジとされ、この切込み・打抜き用エッジは、板材送り方向上流側に行くに従い上方に傾斜した形状であるパンチプレスのパンチ金型。
【請求項２】
請求項１に記載のパンチ金型とダイ金型との組み合わせからなるパンチプレスの追切り用金型であって、
前記ダイ金型は、互いに仕切り壁によって板材送り方向の下流側と上流側とに仕切られて、前記パンチ金型の第１の刃先部および第２の刃先部がそれぞれ進入する第１の貫通孔および第２の貫通孔を有し、
前記第１の貫通孔は、この孔を構成する内壁面のうちの板材送り方向下流側および上流側の壁面部分の上端縁が前記第１の刃先部の下流側および上流側の打抜き用エッジとそれぞれ噛み合うダイ側エッジとされ、板材送り方向に沿う壁面部分の上端縁が前記第１の刃先部の切込み・打抜き用エッジと噛み合うダイ側エッジとされ、
前記第２の貫通孔は、この孔を構成する内壁面のうちの板材送り方向上流側の壁面部分の上端縁が、前記第２の刃先部の打抜き用エッジと噛み合うダイ側エッジとされ、板材送り方向に沿う壁面部分の上端縁が、前記第２の刃先部の切込み・打抜き用エッジと噛み合うダイ側エッジとされた、
パンチプレスの追切り用金型。
【請求項３】
請求項２において、
前記第１の貫通孔に、前記下流側の打抜き用エッジと噛み合うダイ側エッジを構成する壁面部分は前記切込み・打抜き用エッジと噛み合うダイ側エッジを構成する壁面部分よりも上端縁が低く、この上端縁の低い壁面部分から下流側にかけて他の部分よりも上面の高さが低い下流側切欠きが形成され、
前記第２の貫通孔に、前記打抜き用エッジと噛み合うダイ側エッジを構成する壁面部分は前記切込み・打抜き用エッジと噛み合うダイ側エッジを構成する壁面部分よりも上端縁が低く、この上端縁の低い壁面部分から上流側にかけて他の部分よりも上面の高さが低い上流側切欠きが形成された、
パンチプレスの追切り用金型。
【請求項４】
パンチプレスにより板材に追切りを行って長孔を形成する板材の長孔形成方法であって、始端切込み過程、始端打抜き過程、追切り過程、および終端打抜き過程を含み、
前記始端切込み過程は、板材に形成しようとする長孔の始端に、板材送り方向に沿う２本の平行な切込みを入れ、これら２本の切込みに挟まれた板材部分を下方に押し下げて押下げ片とする過程であり、
前記始端打抜き過程は、前記押下げ片とその板材送り方向下流側の板材部分とを打ち抜いて長孔の始端となる打抜き孔を形成し、かつ前記打抜き孔に続いて板材送り方向上流側へ延びる２本の平行な切込みを形成し、これら２本の切込みに挟まれた板材部分を下方に押し下げて切込み片とする過程であり、
前記追切り過程は、前記始端打抜き過程に続いて複数回繰り返し行われ、前記始端打抜き過程または前回の追切り過程において形成された切込み片を打ち抜いて打抜き孔を形成し、かつ前記打抜き孔に続いて板材送り方向上流側へ延びる新たな２本の平行な切込みを形成し、これら２本の切込みに挟まれた板材部分を下方に押し下げて新たな切込み片とする過程であり、
前記終端打抜き過程は、最終回の追切り過程において形成された切込み片を打ち抜いて長孔の終端となる打抜き孔を形成する過程である、
板材の長孔形成方法。
【請求項５】
請求項４において、
前記始端打抜き過程は、前記押下げ片のうちの板材送り方向上流側の一部分とその板材送り方向上流側の板材部分とを打ち抜いて打抜き孔を形成し、
前記終端打抜き過程は、最終回の追切り過程で形成された切込み片のうちの板材送り方向下流側の一部分を打ち抜く、
板材の長孔形成方法。
【発明の詳細な説明】
【関連出願】
【０００１】
この出願は、２０１１年１月７日出願の特願２０１１−００２１７２の優先権を主張するものであり、その全体を参照により本願の一部をなすものとして引用する。
【技術分野】
【０００２】
この発明は、板材に追切りを行うパンチプレスのパンチ金型、追切り用金型、および板材の長孔形成方法に関する。
【背景技術】
【０００３】
パンチプレスを用いて板材に追切りを行う場合、通常は金型として横断面形状が長方形状のパンチ金型を用い、多数のパンチ孔を連続して加工する方法が採られる。この方法は、連続して開けられるパンチ孔の重なり部分の端に、図２０（Ａ）および（Ｂ）に示すように、板材Ｗの切断面１００の上部が、ダレ１０１を形成せずに小さな突起状の継ぎ目１０２となって残るという問題がある。なお、図２０（Ｃ）に示すように、パンチ加工による切断面１００は、パンチ進入側から順に、ダレ１０１、せん断面１０３、破断面１０４となる。【０００４】
上記継ぎ目１０２を無くすパンチ加工方法として、底面が水平に対し傾斜した切込み刃先部を有する追切り用パンチ金型を用い、前記切込み刃先部では板材を打ち抜かずに切込みを入れるだけとして、次の切込みを前の切込みに続けて加工する方法が提案されている（例えば特許文献１）。このように切込みを順次入れる加工方法によると、切断面が連続して綺麗に仕上がる。なお、この提案の追切り用パンチ金型は、切込み刃先部とは別に打抜き刃先部を有し、この打抜き刃先部により、前回のパンチ加工で切込み刃先部により形成された切込みの内側部分を打ち抜くようになっている。
【先行技術文献】
【特許文献】
【０００５】
【特許文献１】特許第３９６００６６号公報
【発明の概要】
【発明が解決しようとする課題】
【０００６】
上記従来の追切り用パンチ金型は、追切りの最初の過程で板材に切込みを入れるときにパンチ金型の刃部を挿入するための開口を、予め板材に開けておく必要があった。そのため、前記開口と最初の切込みの重なり部分の端に、前記同様の突起状の継ぎ目１０２（図２０（Ａ）および（Ｂ））が残ることが避けられなかった。【０００７】
また、上記従来の追切り用パンチ金型は、追切りの最後の過程において、前回のパンチ加工で形成された切込みの内側部分を、切込みの一部分を残したまま打ち抜くことができなかった。なぜなら、切込みの内側部分は下方に撓んでいるため、この撓んだ内側部分がダイ金型と干渉するからである。例えば、窓孔等のコーナー部の内周加工において、一般的なパンチ金型を用いてコーナー部を打ち抜く場合、追切りによって形成した長孔の最終部分に切込みの一部が残されていないと、追切りによる長孔と一般的なパンチ金型による打抜き孔との重なり部分の端に、前記同様の突起状の継ぎ目１０２（図２０（Ａ）および（Ｂ））が残る。【０００８】
この発明の目的は、パンチプレスにより板材に追切りを行う場合に、パンチ加工の始端部分や追切りの重なり部分の端に継ぎ目をほとんど残さずに加工することができるパンチプレスのパンチ金型、およびこのパンチ金型とダイ金型との組み合わせからなる追切り用金型、ならびにこの追切り用金型を用いた長孔形成方法を提供することである。
【課題を解決するための手段】
【０００９】
この発明にかかるパンチプレスのパンチ金型は、板材に追切りを行うパンチ金型であって、板材送り方向に並んで配置され、板材送り方向に沿う側面が互いに同一面上に位置する第１の刃先部および第２の刃先部を有する。前記第１の刃先部は、前記第２の刃先部よりも下方に段差を持って突出し、板材送り方向下流側および上流側の下端縁が打抜き用エッジとされ、かつ板材送り方向に沿う下端縁が切込み・打抜き用エッジとされ、この切込み・打抜き用エッジは、板材送り方向の中央部が下側に突出した形状である。前記第２の刃先部は、板材送り方向上流側の下端縁が打抜き用エッジとされ、かつ板材送り方向に沿う下端縁が切込み・打抜き用エッジとされ、この切込み・打抜き用エッジは、板材送り方向上流側に進むに従い上方に傾斜した形状である。【００１０】
この構成のパンチ金型は、ダイ金型と組み合わせて用いられる。すなわち、ダイ金型の上に板材を水平状に載置し、この板材に対しパンチ金型を打ち下ろしてパンチ加工を行う。パンチ金型の打ち下ろし高さを適正に設定することにより、第１の刃先部の切込み・打抜き用エッジまたは第２の刃先部の切込み・打抜き用エッジにより板材に板材送り方向に沿う切込みを形成する加工と、第１の刃先部により板材を打ち抜くパンチ加工とを行える。【００１１】
例えば、追切りを行う場合、第１の刃先部により、先に形成されている切込みの基端部分を残す状態で、切込みの内側部分を打ち抜いて打抜き孔を形成する共に、第２の刃先部の切込み・打抜き用エッジにより、前記打抜き孔に続く切込みを形成するパンチ加工を、パンチ金型と板材との板材送り方向の相対位置をずらしながら繰り返す。この追切りにより、各パンチ加工の切込みが連なって、板材送り方向に沿って板材が切断される。また、各パンチ加工の打抜き孔が連なって、板材送り方向に沿う長孔が形成される。上記追切りにおいて、切込みの内側に位置する板材部分を第１の刃先部により打ち抜くため、打抜き孔の重なり部分の端に、個別のパンチ孔を連続形成する場合のような継ぎ目が生じない。【００１２】
第１の刃先部の切込み・打抜き用エッジは、板材送り方向の中央部が下側に突出した形状とされているため、板材送り方向上流側に延びる切込みも下流側に延びる切込みも形成することができる。そのため、追切りによって板材の切断や長孔の形成を行う場合に、切断線や長孔の両端に継ぎ目を生じさせないようにできる。【００１３】
この発明における第１のパンチプレスの追切り用金型は、本発明のパンチ金型とダイ金型との組み合わせからなる。前記ダイ金型は、互いに仕切り壁によって板材送り方向の下流側と上流側とに仕切られて、前記パンチ金型の第１の刃先部および第２の刃先部がそれぞれ進入する第１の貫通孔および第２の貫通孔を有する。前記第１の貫通孔は、この孔を構成する内壁面のうちの板材送り方向下流側および上流側の壁面部分の上端縁が前記第１の刃先部の下流側および上流側の打抜き用エッジとそれぞれ噛み合うダイ側エッジとされ、板材送り方向に沿う壁面部分の上端縁が前記第１の刃先部の切込み・打抜き用エッジと噛み合うダイ側エッジとされている。前記第２の貫通孔は、この孔を構成する内壁面のうちの板材送り方向上流側の壁面部分の上端縁が、前記第２の刃先部の打抜き用エッジと噛み合うダイ側エッジとされ、板材送り方向に沿う壁面部分の上端縁が、前記第２の刃先部の切込み・打抜き用エッジと噛み合うダイ側エッジとされている。【００１４】
この構成の追切り用金型は、ダイ金型の上に板材を水平状に載置し、この板材に対しパンチ金型を打ち下ろしてパンチ加工を行う。板材と追切り金型との板材送り方向の相対位置、およびパンチ金型の打ち下ろし高さを適正に設定することにより、板材に対し以下の各加工を行うことができる。【００１５】
パンチ金型を、その第１の刃先部の切込み・打抜き用エッジのみが板材の上面以下の高さレベルとなるように打ち下ろすと、第１の刃先部により板材における第１の刃先部の下方に位置する箇所を下方に押し下げて、同箇所を板材送り方向に沿う切込みが入った押下げ片とする加工となる。第１の刃先部の切込み・打抜き用エッジは、板材送り方向の中央部が下側に突出した形状であるため、上記押下げ片は、板材送り方向の中央部が最も下方に撓んだ形状で、板材送り方向の両端で板材の本体部と繋がっている。【００１６】
前記押下げ片の板材送り方向の位置が第１の刃先部と第２の刃先部とに渡る位置となるように追切り用金型を位置させ、そのパンチ金型を、第２の刃先部の切込み・打抜き用エッジの全部または一部が板材の上面以下の高さレベルとなり、かつ第２の刃先部の打抜き用エッジが板材の上面以上の高さレベルであるように打ち下ろすと、第１の刃先部により前記押下げ片とその板材送り方向下流側の板材部分とを打ち抜いて打抜き孔を形成し、かつ第２の刃先部により、前記打抜き孔に続いて板材送り方向上流側へ延びる切込みを形成して、その切込みの内側部分を下方に押し下げて切込み片とする加工となる。【００１７】
押下げ片は板材送り方向の切込みが形成されているだけであり、切込みの基端付近に加工硬化が生じていないため、第１の刃先部で押下げ片を含む板材部分を打ち抜いても、切込みと打抜き孔の重なり部分の端に、個別のパンチ孔を連続形成する場合のような継ぎ目がほとんど残らない。切込み片は、先端側ほど下方に撓んだ形状で、その基端で板材の本体部と繋がっている。【００１８】
前記切込み片の板材送り方向の位置が第１の刃先部と第２の刃先部とに渡る位置となるように追切り用金型を位置させ、そのパンチ金型を、第２の刃先部の切込み・打抜き用エッジの全部または一部が板材の上面以下の高さレベルとなり、かつ第２の刃先部の打抜き用エッジが板材の上面以上の高さレベルであるように打ち下ろすと、第１の刃先部により前記切込み片とその板材送り方向下流側の板材部分とを打ち抜いて打抜き孔を形成し、かつ第２の刃先部により、前記打抜き孔に続いて板材送り方向上流側へ延びる新たな切込みを形成し、その切込みの内側部分を下方に押し下げて新たな切込み片とする加工となる。【００１９】
切込み片も押下げ片と同様に、板材送り方向の切込みが形成されているだけであり、切込みの基端付近に加工硬化が生じていないため、第１の刃先部で切込み片を含む板材部分を打ち抜いても、切込みと打抜き孔の重なり部分の端に継ぎ目がほとんど残らない。この加工を、板材に対し追切り用金型を相対的に板材送り方向にずらせながら複数回繰り返し行うことにより、各回の加工による打抜き孔が連なって、板材送り方向に沿う長孔が形成される。【００２０】
前記切込み片の板材送り方向の位置が第１の刃先部と第２の刃先部とに渡る位置となり、かつ第２の刃先部における打抜き用エッジが、板材に形成しようとする長孔の終端の真上に位置するように追切り用金型を位置させ、そのパンチ金型を、第２の刃先部の打抜き用エッジが板材の下面以下の高さレベルとなるように打ち下ろすと、切込み片とその板材送り方向上流側の板材部分とを打ち抜いて打抜き孔を形成する加工となる。前記同様、切込みと打抜き孔の重なり部分の端に継ぎ目がほとんど残らない。【００２１】
この発明における第１の板材の長孔形成方法は、パンチプレスにより板材に追切りを行って長孔を形成する板材の長孔形成方法であって、始端切込み過程、始端打抜き過程、追切り過程、および終端打抜き過程を含む。前記始端切込み過程は、板材に形成しようとする長孔の始端に、板材送り方向に沿う２本の平行な切込みを入れ、これら２本の切込みに挟まれた板材部分を下方に押し下げて押下げ片とする過程である。前記始端打抜き過程は、前記押下げ片とその板材送り方向下流側の板材部分とを打ち抜いて長孔の始端となる打抜き孔を形成し、かつ前記打抜き孔に続いて板材送り方向上流側へ延びる２本の平行な切込みを形成し、これら２本の切込みに挟まれた板材部分を下方に押し下げて切込み片とする過程である。前記追切り過程は、前記始端打抜き過程に続いて複数回繰り返し行われ、前記始端打抜き過程または前回の追切り過程において形成された切込み片を打ち抜いて打抜き孔を形成し、かつ前記打抜き孔に続いて板材送り方向上流側へ延びる新たな２本の平行な切込みを形成し、これら２本の切込みに挟まれた板材部分を下方に押し下げて新たな切込み片とする過程である。前記終端打抜き過程は、最終回の追切り過程において形成された切込み片を打ち抜いて長孔の終端となる打抜き孔を形成する過程である。【００２２】
この板材の長孔形成方法には、例えば上述の追切り用金型が用いられる。その場合、前記各過程は次のようになる。【００２３】
前記始端切込み過程は、前記パンチ金型の第１の刃先部における板材送り方向下流側の打抜き用エッジの板材送り方向の位置を、板材に形成しようとする長孔の始端に一致させるか、または板材送り方向上流側となるように追切り用金型を位置させ、この追切り用金型のパンチ金型を、その第１の刃先部の切込み・打抜き用エッジのみが板材の上面以下の高さレベルとなるように打ち下ろすことにより、前記第１の刃先部により板材における第１の刃先部の下方に位置する箇所を下方に押し下げて、同箇所を板材送り方向に沿う切込みが入った押下げ片とする過程である。押下げ片は、板材送り方向の中央部が最も下方に撓み、板材送り方向の両端で板材の本体部と繋がっている。【００２４】
前記始端打抜き過程は、前記押下げ片の板材送り方向の位置が前記第１の刃先部と第２の刃先部とに渡る位置となるように追切り用金型を位置させ、前記パンチ金型を、その第２の刃先部の切込み・打抜き用エッジの全部または一部が板材の上面以下の高さレベルとなり、かつ第２の刃先部の打抜き用エッジが板材の上面以上の高さレベルであるように打ち下ろすことにより、前記第１の刃先部により前記切込み片とその板材送り方向下流側の板材部分とを打ち抜いて長孔の始端となる打抜き孔を形成し、かつ前記第２の刃先部により、前記打抜き孔に続いて板材送り方向上流側へ延びる切込みを形成し、その切込みの内側部分を下方に押し下げて切込み片とする過程である。【００２５】
前記押下げ片は板材送り方向の切込みが形成されているだけであるため、第１の刃先部で押下げ片を含む板材部分を打ち抜いても、押下げ片の切込みと打抜き孔との重なり部分の端に、個別のパンチ孔を連続形成する場合のような継ぎ目がほとんど残らない。切込み片は、先端側ほど下方に撓んだ形状で、その基端で板材の本体部と繋がっている。【００２６】
前記追切り過程は、前記始端打抜き過程に続いて複数回繰り返し行われ、前記始端打抜き過程または前回の追切り過程において形成された切込み片の板材送り方向の位置が前記第１の刃先部と第２の刃先部とに渡る位置となるように追切り用金型を位置させ、前記パンチ金型を、その第２の刃先部の切込み・打抜き用エッジの全部または一部が板材の上面以下の高さレベルとなり、かつ第２の刃先部の打抜き用エッジが板材の上面以上の高さレベルであるように打ち下ろすことにより、前記第１の刃先部により前記切込み片を打ち抜いて打抜き孔を形成し、かつ前記第２の刃先部により、前記打抜き孔に続いて板材送り方向上流側へ延びる新たな切込みを形成し、その切込みの内側部分を下方に押し下げて新たな切込み片とする過程である。【００２７】
切込み片も板材送り方向の切込みが形成されているだけであるため、前記同様に、切込み片の切込みと打抜き孔との重なり部分の端に継ぎ目がほとんど残らない。複数回の追切り過程の加工により形成された打抜き孔が連なって、板材送り方向に沿う長孔が形成される。【００２８】
前記終端打抜き過程は、最終回の追切り過程において形成された切込み片の板材送り方向の位置が前記第１の刃先部と第２の刃先部とに渡る位置となり、かつ第２の刃先部における打抜き用エッジの板材送り方向の位置が、板材に形成しようとする長孔の終端に一致するように追切り用金型を位置させ、この追切り用金型のパンチ金型を、その第２の刃先部の打抜き用エッジが板材の下面以下の高さレベルとなるように打ち下ろすことにより、最終回の追切り過程で形成された切込み片を打ち抜いて長孔の終端となる打抜き孔を形成する過程である。この場合も、前記同様に、打抜き孔と切込みの重なり部分の端に継ぎ目がほとんど残らない。【００２９】
この発明のパンチプレスの追切り用金型において、前記第１の貫通孔に、前記下流側の打抜き用エッジと噛み合うダイ側エッジを構成する壁面部分は前記切込み・打抜き用エッジと噛み合うダイ側エッジを構成する壁面部分よりも上端縁が低く、この上端縁の低い壁面部分から下流側にかけて他の部分よりも上面の高さが低い下流側切欠きが形成され、前記第２の貫通孔に、前記打抜き用エッジと噛み合うダイ側エッジを構成する壁面部分は前記切込み・打抜き用エッジと噛み合うダイ側エッジを構成する壁面部分よりも上端縁が低く、この上端縁の低い壁面部分から上流側にかけて他の部分よりも上面の高さが低い上流側切欠きが形成されていることが好ましい。 【００３０】
この構成によれば、パンチ金型の第１の刃先部における下流側の打抜き用エッジが、前記押下げ片の真上に位置するように追切り用金型を位置させ、そのパンチ金型を、その第２の刃先部の切込み・打抜き用エッジの全部または一部が板材の上面以下の高さレベルとなり、かつ第２の刃先部の打抜き用エッジが板材の上面以上の高さレベルであるように打ち下ろすと、第１の刃先部により前記押下げ片のうちの板材送り方向上流側の一部分とその板材送り方向上流側の板材部分とを打ち抜いて打抜き孔を形成し、押下げ片の残り部分をダイ金型の上に残存させ、かつ第２の刃先部により、前記打抜き孔に続いて板材送り方向上流側へ延びる切込みを形成し、その切込みの内側部分を下方に押し下げて切込み片とする加工となる。【００３１】
前記同様に、押下げ片の切込みと打抜き孔との重なり部分の端に継ぎ目がほとんど残らない。このように、押下げ片の一部を残存させることにより、後でこの残存した押下げ片とその板材送り方向下流側の板材部分を打ち抜く場合に、継ぎ目がほとんど残らないようにできる。切込み片は、先端側ほど下方に撓んだ形状で、その基端で板材の本体部と繋がっている。【００３２】
パンチ金型の第２の刃先部における打抜き用エッジが、最終回の加工で形成された切込み片の真上に位置するように追切り用金型を位置させ、そのパンチ金型を、その第２の刃先部の打抜き用エッジが板材の下面以下の高さレベルとなるように打ち下ろすと、最終回の加工で形成された切込み片のうちの板材送り方向下流側の一部分を打ち抜き、残り部分をダイ金型の上に残存させる加工となる。このように、切込み片の一部を残存させることにより、後でこの残存した切込み片とその板材送り方向上流側の板材部分を打ち抜く場合に、継ぎ目がほとんど残らないようにできる。【００３３】
この発明の板材の長孔形成方法において、前記始端打抜き過程は、前記押下げ片のうちの板材送り方向上流側の一部分とその板材送り方向上流側の板材部分とを打ち抜いて打抜き孔を形成し、前記終端打抜き過程は、最終回の追切り過程で形成された切込み片のうちの板材送り方向下流側の一部分を打ち抜くようにできる。 【００３４】
この板材の長孔形成方法では、前記始端打抜き過程は、前記パンチ金型の第１の刃先部における下流側の打抜き用エッジが、前記押下げ片の真上に位置するように追切り用金型を位置させ、前記パンチ金型を、その第２の刃先部の切込み・打抜き用エッジの全部または一部が板材の上面以下の高さレベルとなり、かつ第２の刃先部の打抜き用エッジが板材の上面以上の高さレベルであるように打ち下ろすことにより、前記第１の刃先部により前記押下げ片のうちの板材送り方向上流側の一部分とその板材送り方向上流側の板材部分とを打ち抜いて打抜き孔を形成し、前記押下げ片の残り部分を前記ダイ金型の前記下流側切欠きの上に残存させ、かつ前記第２の刃先部により、前記打抜き孔に続いて板材送り方向上流側へ延びる切込みを形成し、その切込みの内側部分を下方に押し下げて切込み片とする過程である。したがって、押下げ片の切込みと打抜き孔との重なり部分の端に継ぎ目がほとんど残らない。切込み片は、先端側ほど下方に撓んだ形状で、その基端で板材の本体部と繋がっている。【００３５】
前記終端打抜き過程は、前記パンチ金型の第２の刃先部における打抜き用エッジが、最終回の追切り過程で形成された切込み片の真上に位置するように追切り用金型を位置させ、この追切り用金型のパンチ金型を、その第２の刃先部の打抜き用エッジが板材の下面以下の高さレベルとなるように打ち下ろすことにより、最終回の追切り過程で形成された切込み片のうちの板材送り方向下流側の一部分を打ち抜き、残り部分を前記ダイ金型の前記上流側切欠きの上に残存させる過程である。【００３６】
この板材の長孔形成方法によると、完成した長孔の板材送り方向の下流端に押下げ片の一部分が、また上流端に切込み片の一部分が残存する。そのため、後で、別の打抜き用金型により、押下げ片および切込み片の残存部とそれに続く板材部分とを打ち抜いた場合に、長孔と打抜き孔の重なり部分の端に継ぎ目をほとんど残らないようにできる。例えば、窓孔を形成する場合、この長孔形成方法により窓孔の各辺に沿って長孔を形成して、最後に別の打抜き用金型により窓孔のコーナー部を打ち抜くことにより、コーナー部にも継ぎ目を残さずに窓孔を形成することができる。【００３７】
請求の範囲および／または明細書および／または図面に開示された少なくとも２つの構成のどのような組合せも、本発明に含まれる。特に、請求の範囲の各請求項の２つ以上のどのような組合せも、本発明に含まれる。 
【図面の簡単な説明】
【００３８】
この発明は、添付の図面を参考にした以下の好適な実施形態の説明からより明瞭に理解されるであろう。しかしながら、実施形態および図面は単なる図示および説明のためのものであり、この発明の範囲を定めるために利用されるべきものではない。この発明の範囲は添付の請求の範囲によって定まる。添付図面において、複数の図面における同一の部品番号は、同一部分を示す。
【図１】この発明の第１実施形態にかかる追切り用金型が装着されたパンチプレスの金型装着部の断面図である。
【図２】（Ａ）は同追切り用金型のパンチ金型の正面図、（Ｂ）はその底面図である。
【図３】（Ａ）は同追切り用金型のダイ金型の破断正面図、（Ｂ）はその平面図である。
【図４】（Ａ）〜（Ｆ）は同追切り用金型を用いた板材の長孔形成方法の過程を示す図である。
【図５】（Ａ）〜（Ｃ）は始端切込み過程における第１回目のパンチ加工の動作を示す金型装着部の断面図である。
【図６】（Ａ）〜（Ｃ）は始端切込み過程における第２回目のパンチ加工の動作を示す金型装着部の断面図である。
【図７】（Ａ）〜（Ｃ）は始端打抜き過程のパンチ加工の動作を示す金型装着部の断面図である。
【図８】（Ａ）〜（Ｃ）は追切り過程のパンチ加工の動作を示す金型装着部の断面図である。
【図９】（Ａ）〜（Ｃ）は終端打抜き過程のパンチ加工の動作を示す金型装着部の断面図である。
【図１０】（Ａ）は押下げ片の平面図、（Ｂ）はXB-XB断面図、（Ｃ）はXC-XC断面図である。
【図１１】（Ａ）は切込み片の平面図、（Ｂ）はXIＢ-XIB断面図、（Ｃ）はXIC-XIC断面図である。
【図１２】この発明の第２実施形態にかかる追切り用金型が装着されたパンチプレスの金型装着部の断面図である。
【図１３】（Ａ）は同追切り用金型のダイ金型の破断正面図、（Ｂ）はその平面図である。
【図１４】（Ａ）〜（Ｆ）は同追切り用金型を用いた板材の長孔形成方法の過程を示す図である。
【図１５】（Ａ）〜（Ｃ）は始端切込み過程における第１回目のパンチ加工の動作を示す金型装着部の断面図である。
【図１６】（Ａ）〜（Ｃ）は始端切込み過程における第２回目のパンチ加工の動作を示す金型装着部の断面図である。
【図１７】（Ａ）〜（Ｃ）は始端打抜き過程のパンチ加工の動作を示す金型装着部の断面図である。
【図１８】（Ａ）〜（Ｃ）は追切り過程のパンチ加工の動作を示す金型装着部の断面図である。
【図１９】（Ａ）〜（Ｃ）は終端打抜き過程のパンチ加工の動作を示す金型装着部の断面図である。
【図２０】（Ａ）は従来の追切り切断による板材の切断箇所の平面図、（Ｂ）はその正面図、（Ｃ）はそのXXC-XXC断面図である。
【発明を実施するための形態】
【００３９】
この発明の実施形態を図面と共に説明する。
図１はこの発明の第１実施形態にかかる追切り用金型が装着されたパンチプレスの金型装着部を示す。追切り用金型はパンチ金型１とダイ金型１１とでなり、ダイ金型１１の上に板材Ｗを水平状に載置し、この板材Ｗに対しパンチ金型１を打ち下ろしてパンチ加工を行う。
【００４０】
図２（Ａ）および（Ｂ）に示すように、パンチ金型１は、柄部２の下端に刃部３が設けられている。刃部３は横断面形状が長方形状であり、刃部３の下端に、幅広方向つまり板材送り方向Ａ（図２（Ａ）および（Ｂ）の左右方向）に互いに並ぶ第１の刃先部４と第２の刃先部５とが形成されている。したがって、第１の刃先部４と第２の刃先部５とは、互いに同じ厚みで、両側面がそれぞれ同一平面となっている。第１の刃先部４と第２の刃先部５との間には、両側面に抜ける溝状の逃がし凹部６が形成されている。逃がし凹部６の第１の刃先部４側の内壁面６ａは鉛直方向に沿う面であり、第２の刃先部５側の内壁面６ｂは下端側ほど第２の刃先部５に近づく傾斜面である。なお、図２（Ａ）および（Ｂ）の右側が板材送り方向Ａの上流側であり、左側が下流側である。
【００４１】
第１の刃先部４は、全体的に、第２の刃先部５よりも下方に段差を持って突出している。第１の刃先部４の底面７は、板材送り方向Ａの中央部が下側に突出する形状であり、板材送り方向Ａと直交する方向（図２（Ｂ）の上下方向）は同じ高さレベルである。図２（Ｂ）に示す底面７の外周をなす４つの下端縁のうち板材送り方向Ａの下流側および上流側の下端縁は打抜き用エッジ４ａ，４ｂとされ、板材送り方向Ａに沿う両側の下端縁は切込み・打抜き用エッジ４ｃとされている。図示例の第１の刃先部４は、図２（Ａ）に示すように、底面７が、板材送り方向Ａと直交する方向から見てＶ字状であるが、中央の最も突出した部分が水平な平面部分を持っていてもよく、また中央の最も突出した部分から板材送り方向Ａの両側へ続く部分が曲面状、例えば円柱面状であってもよい。
【００４２】
第２の刃先部５の底面９は、第１の刃先部４から遠ざかるに従い上方に傾斜した形状であり、板材送り方向Ａと直交する方向は同じ高さレベルである。図２（Ｂ）に示す底面９の外周をなす４つの下端縁のうち板材送り方向Ａの上流側の下端縁は打抜き用エッジ５ａとされ、板材送り方向Ａに沿う両側の下端縁は切込み・打抜き用エッジ５ｃとされている。板材送り方向Ａの下流側の下端縁は、加工には特に関与しないエッジ５ｂとされている。
【００４３】
図３（Ｂ）に示すように、ダイ金型１１は、平面形状が略円形のものであり、図３（Ａ）に示すように、パンチ金型１の第１の刃先部４および第２の刃先部５が進入するスリット状の刃先部進入孔１２が、上下に貫通して設けられている。この刃先部進入孔１２は、板材送り方向Ａに長い段付き孔であり、上孔部１２ａは、パンチ金型１の刃部３が嵌合する横断面形状とされている。上孔部１２ａの板材送り方向Ａの上流側の壁面は、上端部よりも下側の部分が外径側へ後退する傾斜面１２ａａとされている。刃先部進入孔１２は、板材送り方向Ａの中央部で仕切り壁１３により仕切られて、板材送り方向Ａの下流側の孔部分がパンチ金型１の第１の刃先部４が進入する第１の貫通孔１４となり、上流側の孔部分がパンチ金型１の第２の刃先部５が進入する第２の貫通孔１５となっている。仕切り壁１３の第１の貫通孔１４側の壁面１３ａは鉛直方向に沿う面であり、第２の貫通孔１５側の壁面１３ｂは、追切り切断用パンチ金型１の逃がし凹部６の内壁面６ｂに対応する傾斜面である。
【００４４】
図３（Ｂ）に示す第１の貫通孔１４を構成する４つの内壁面のうちの板材送り方向Ａの下流側および上流側の壁面部分の上端縁が、パンチ金型１における第１の刃先部４の下流側および上流側の打抜き用エッジ４ａ，４ｂとそれぞれ噛み合うダイ側エッジ１４ａ，１４ｂとされ、板材送り方向Ａに沿う壁面部分の上端縁が、パンチ金型１の第１の刃先部４における切込み・打抜き用エッジ４ｃと噛み合うダイ側エッジ１４ｃとされている。また、第２の貫通孔１５を構成する内壁面のうちの板材送り方向Ａの上流側の壁面部分の上端縁が、パンチ金型１における第２の刃先部５の打抜き用エッジ５ａと噛み合うダイ側エッジ１５ａとされ、板材送り方向Ａに沿う壁面部分の上端縁が、パンチ金型１における第２の刃先部５の切込み・打抜き用エッジ５ｃと噛み合うダイ側エッジとされ１５ｃとされている。
【００４５】
上記追切り用金型のパンチ金型１およびダイ金型１１は、図１に示すように、パンチプレスの金型装着部に装着して使用される。パンチ金型１は、頭部部材６１にセットボルト６２で取付けられ、パンチホルダ６３を介して上側のタレット６４の金型設置孔６５に昇降自在に嵌合している。頭部部材６１は、そのＴ形の頭部でパンチ駆動機構（図示せず）のラム６６に係合し、昇降駆動される。パンチ駆動機構は、クランク式のものであっても油圧式のものであっても良い。パンチホルダ６３は昇降自在として押えばね６７Ａ，６７Ｂにより下降付勢し、下端にストリッパ板６８を取付けてある。
【００４６】
パンチ金型１は、角度割り出し可能なインデックスツールとされている。すなわち、前記金型設置孔６５はタレット本体６４ａに対し回転自在な回転体７１に設けられている。回転体７１は外周面にウォームホイール７２を有し、このウォームホイール７２に、タレット６４の径方向に向けて配置した回転軸７３に設けたウォームギア７４が噛み合っている。駆動手段により回転軸７３を回転させることにより、その回転がウォームギア７４およびウォームホイール７２を介して回転体７１に伝達され、パンチ金型１が所望の角度に割り出される。
【００４７】
ダイ金型１１も、角度割り出し可能なインデックスツールとされている。すなわち、下側のタレット７６に回転自在にダイホルダ７７が装着され、このダイホルダ７７に追切り切断用ダイ金型１１が保持されている。ダイホルダ７７は外周面にウォームホイール７８を有し、このウォームホイール７８に、タレット７６の径方向に向けて配置した回転軸７９に設けたウォームギア８０が噛み合っている。駆動手段により回転軸７９を回転させることにより、その回転がウォームギア８０およびウォームホイール７８を介してダイホルダ７７に伝達され、ダイ金型１１が所望の角度に割り出される。
【００４８】
上下のタレット６４，７６は、円周方向の複数個所にパンチ加工のための各種の金型を支持した金型支持部材であり、その設置金型の一つとして、追切り用金型のパンチ金型１およびダイ金型１１が設置されている。追切り用金型以外のパンチ金型（図示せず）およびダイ金型（図示せず）も、上記同様に角度割り出し可能に設けられる。なお、これらの金型を設置するパンチプレスは、タレット式のものに限らず、パンチ金型およびダイ金型は、タレットとは別の金型支持部材（図示せず）に設置しても良い。
【００４９】
上記パンチ金型１およびダイ金型１１の組合せからなる追切り用金型を用いたパンチ加工の方法を、図４（Ａ）のように、板材Ｗから長方形の製品３０を切り抜く場合を例にとって説明する。概略的には、製品３０の各辺に沿って追切りを行って長孔３１（図４（Ｆ））を形成し、各辺の長孔３１を繋ぎ合わせることで製品３０を切り抜く。長孔３１の形成は、始端切込み過程、始端打抜き過程、追切り過程、および終端打抜き過程の順で行われる。
【００５０】
始端切込み過程は、図５（Ａ）〜（Ｃ）に示すように、パンチ金型１の第１の刃先部４における下流側の打抜き用エッジ４ａの板材送り方向Ａの位置を、板材Ｗに形成しようとする長孔３１（図４（Ｆ））の始端に一致させるか、または板材送り方向Ａの上流側となるように追切り用金型を位置させ、この追切り用金型のパンチ金型１を打ち下ろして加工を行う。パンチ金型１の最下降時（図５（Ｂ））の高さは、その第１の刃先部４の切込み・打抜き用エッジ４ｃのみが板材Ｗの上面以下の高さレベルとなるようにする。それにより、第１の刃先部４により板材Ｗにおける第１の刃先部４の下方に位置する箇所を下方に押し下げて、同箇所を板材送り方向Ａに沿う切込み３２（図４（Ｂ））が入った押下げ片３３とする。押下げ片３３は、板材送り方向Ａの中央部が最も下方に撓み、板材送り方向Ａの両端で板材Ｗの本体部と繋がっている。
【００５１】
図１０（Ａ）に押下げ片３３を拡大して示す。押下げ片３３は、第１の刃先部４の切込み・打抜き用エッジ４ｃにおける板材送り方向Ａの中央部で形成された箇所と両端部で形成された箇所とで切込み３２の様相が異なる。すなわち、切込み・打抜き用エッジ４ｃの中央部で形成された切込み３２は、図１０（Ｂ）に示すように、板材Ｗの本体部Ｗａに対して押下げ片３３が完全に打抜かれて分離した状態となっているが、切込み・打抜き用エッジ４ｃの両端部で形成された切込み３２は、図１０（Ｃ）に示すように、板材Ｗの本体部Ｗａに対し押下げ片３３が完全に打ち抜かれておらず、両者Ｗａ，３３が段差を持って繋がった状態となっている。段差の大きさは、押下げ片３３の両端へ近づくほど小さく、両端では零になる。このように、板材Ｗの本体部Ｗａに対し押下げ片３３を分離させずに、両者Ｗａ，３３の段差を徐々に小さくなるように切込み３２を形成したことにより、切込み３２の両端付近で板材Ｗが加工硬化せず、打抜き面や切込み面にダレがほとんど生じない。
【００５２】
次に、図６（Ａ）〜（Ｃ）に示すように、板材Ｗを板材送り方向Ａの上流側（図の右方向）にずらして、言い換えると板材Ｗに対して追切り用金型を板材送り方向Ａの下流側に相対的にずらして、上記同様の始端切込み過程の加工を行って、押下げ片３３の板材送り方向Ａの長さを長くする。これは、後の始端打抜き過程において、打抜き孔３４に続く切込み３２が形成されるようにするためである。適正長さの切込み３２が得られるまで、始端切込み過程の加工を複数回行う。
【００５３】
始端打抜き過程は、図７（Ａ）〜（Ｃ）に示すように、前記押下げ片３３の板材送り方向Ａの位置が第１の刃先部４と第２の刃先部５とに渡る位置となるように追切り用金型を位置させ、この追切り用金型のパンチ金型１を打ち下ろして加工を行う。パンチ金型１の最下降時（図７（Ｂ））の高さは、その第２の刃先部５の切込み・打抜き用エッジ５ｃの全部または一部が板材Ｗの上面以下の高さレベルとなり、かつ第２の刃先部５の打抜き用エッジ５ａが板材Ｗの上面以上の高さレベルであるようにする。それにより、第１の刃先部４により前記押下げ片３３を含む板材部分を打ち抜いて打抜き孔３４を形成し、かつ第２の刃先部５により、前記打抜き孔３４に続いて板材送り方向Ａの上流側へ延びる切込み３２（図４（Ｃ））を形成し、その切込み３２の内側部分を下方に押し下げて舌片状の切込み片３５とする。打抜かれた打抜き片３６は、ダイ金型１１の第１の貫通孔１４を通って落下する。切込み片３５は、その基端で板材Ｗの本体部と繋がっている。
【００５４】
先に説明したように、前記始端切込み過程で第１の刃先部４により形成された切込み３２の両端付近で板材Ｗに加工硬化が生じていないため、始端打抜き過程において第１の刃先部４により押下げ片３３を打ち抜いても、押下げ片３３の切込み３２と打抜き孔３４との重なり部分の端に、個別のパンチ孔を連続形成する場合のような継ぎ目がほとんど残らない。切込み片３５も押下げ片３２と同様に、切込み３２の基端付近で板材Ｗが加工硬化せず、打抜き面や切込み面にダレがほとんど生じない。
【００５５】
図１１（Ａ）に切込み片３５を拡大して示す。切込み片３５は、第２の刃先部５の切込み・打抜き用エッジ５ｃにおける板材送り方向Ａの下流側部分で形成された箇所と上流側部分で形成された箇所とで切込み３２の様相が異なる。すなわち、切込み・打抜き用エッジ５ｃの下流側部分で形成された切込み３２は、図１１（Ｂ）に示すように、板材Ｗの本体部Ｗａに対して切込み片３５が完全に打抜かれて分離した状態となっているが、切込み・打抜き用エッジ５ｃの上流側部分で形成された切込み３２は、図１１（Ｃ）に示すように、板材Ｗの本体部Ｗａに対し切込み片３５が完全に打ち抜かれておらず、両者Ｗａ，３５が段差を持って繋がった状態となっている。段差の大きさは、切込み片３５の基端へ近づくほど小さく、基端では零になる。このように、板材Ｗの本体部Ｗａに対し切込み片３５を分離させずに、両者Ｗａ，３５の段差を徐々に小さくなるように切込み３２を形成したことにより、切込み３２の基端付近で板材Ｗが加工硬化せず、打抜き面や切込み面にダレがほとんど生じない。
【００５６】
追切り過程は、追切り用金型を目標とする製品３０の外縁に沿って位置をずらせながら複数回繰り返し行う。各追切り過程は、図８（Ａ）〜（Ｃ）に示すように、始端打抜き過程または前回の追切り過程において形成された切込み片３５の板材送り方向Ａの位置が第１の刃先部３４と第２の刃先部３５とに渡る位置となるように追切り用金型を位置させ、この追切り用金型のパンチ金型１を打ち下ろして加工を行う。パンチ金型１の最下降時（図８（Ｂ））の高さは、その第２の刃先部５の切込み・打抜き用エッジ５ｃの全部または一部が板材Ｗの上面以下の高さレベルとなり、かつ第２の刃先部５の打抜き用エッジ５ａが板材Ｗの上面以上の高さレベルであるようにする。それにより、第１の刃先部４により切込み片３５を含む板材部分を打ち抜いて打抜き孔３４を形成し、かつ第２の刃先部５により、前記打抜き孔３４に続いて板材送り方向Ａの上流側へ延びる新たな切込み３２（図４（Ｄ））を形成し、その切込み３２の内側部分を下方に押し下げて新たな切込み片３５とする。
【００５７】
先に説明したように、切込み片３５の切込み３２の基端付近で板材Ｗに加工硬化が生じていないため、押下げ片３３の切込み３２と打抜き孔３４との重なり部分の端に継ぎ目がほとんど残らない。
【００５８】
始端打抜き過程および各追切り過程で打ち抜かれた打抜き孔３４が連なって長孔３１Ａが形成され、その長孔３１Ａの先端が目標とする長孔３１の終端の寸前まで達する（図４（Ｅ））と、終端打抜き過程の加工を行う。終端打抜き過程は、図９（Ａ）〜（Ｃ）に示すように、最終回の追切り過程において形成された切込み片３５の板材送り方向Ａの位置が第１の刃先部４と第２の刃先部５とに渡る位置となり、かつ第２の刃先部５における打抜き用エッジ５ａの板材送り方向Ａの位置が、板材Ｗに形成しようとする長孔３１の終端に一致するように追切り用金型を位置させ、この追切り用金型のパンチ金型１を打ち下ろして加工を行う。パンチ金型１の最下降時（図９（Ｂ））の高さは、その第２の刃先部５の打抜き用エッジ５ａが板材Ｗの下面以下の高さレベルとなるようにする。それにより、最終回の追切り過程で形成された切込み片３５が打ち抜かれて、目標とする長孔３１が形成される（図４（Ｆ））。打抜かれた打抜き片３６は、ダイ金型１１の第２の貫通孔１５を通って落下する。
【００５９】
上記同様に、製品３０の各辺に沿って長孔３１を形成し、各辺の長孔３１を繋ぎ合わせることで製品３０を切り抜く（図示せず）。切り抜かれた製品３０の外周のどこにも、継ぎ目がほとんど残らない。
【００６０】
図１２はこの発明の第２実施形態にかかる追切り用金型が装着されたパンチプレスの金型装着部を示す。追切り用金型はパンチ金型１とダイ金型４１とでなる。この追切り用金型のパンチ金型１は、前記実施形態のパンチ金型１と同一形状であるので、図示と説明を省略する。図１の追切り用金型と図１２の追切り用金型を１台のパンチプレスに装着する場合、それぞれの追切り用金型に専用のパンチ金型１を設けてもよく、あるいは両追切り金型で一つのパンチ金型１を共用としてもよい。
【００６１】
図１３（Ａ）および（Ｂ）に示すように、この追切り用金型のダイ金型４１は、前記実施形態のダイ金型４１とほとんど同じ形状である。すなわち、第１の貫通孔１４と第２の貫通孔１５とでなる刃先部進入孔１２を有する。そして、第１の貫通孔１４を構成する４つの内壁面の上端縁が、パンチ金型１の第１の刃先部４の打抜き用エッジ４ａ，４ｂとそれぞれ噛み合うダイ側エッジ１４ａ，１４ｂ、および第１の刃先部４の切込み・打抜き用エッジ４ｃと噛み合うダイ側エッジ１４ｃとされている。また、第２の貫通孔１５を構成する４つの内壁面のうちの３つの内壁面の上端縁が、パンチ金型１の第２の刃先部５の打抜き用エッジ５ａと噛み合うダイ側エッジ１５ａ、および第２の刃先部５の切込み・打抜き用エッジ５ｃと噛み合うダイ側エッジ１５ｃとされている。
【００６２】
前記実施形態のダイ金型と異なる第１の点は、パンチ金型１の第１の刃先部４における上流側の打抜き用エッジ４ａと噛み合うダイ側エッジ１４ａを構成する壁面部分が、パンチ金型１の第１の刃先部４における切込み・打抜き用エッジ４ｃと噛み合うダイ側エッジ１４ｃを構成する壁面部分よりも上端縁が低く形成されていることである。そして、この上端縁の低い壁面部分から板材送り方向Ａの下流側にかけて、他の部分よりも上面の高さが低い下流側切欠き４２が形成されている。
【００６３】
また、異なる第２の点は、パンチ金型１の第２の刃先部５における打抜き用エッジ５ａと噛み合うダイ側エッジ１５ａを構成する壁面部分が、パンチ金型１の第２の刃先部５における切込み・打抜き用エッジ５ｃと噛み合うダイ側エッジ１５ｃを構成する壁面部分よりも上端縁が低く形成されていることである。そして、この上端縁の低い壁面部分から板材送り方向Ａの上流側にかけて、他の部分よりも上面の高さが低い上流側切欠き４３が形成されている。
【００６４】
上記パンチ金型１およびダイ金型４１の組合せからなる追切り用金型を用いたパンチ加工の方法を、図１４（Ａ）のように、板材Ｗに長方形の窓孔５０を形成する場合を例にとって説明する。概略的には、窓孔５０の各辺に沿って追切りを行って長孔５１（図１４（Ｅ））を形成して、図１４（Ｆ）の状態とし、最後にコーナー部に残された残り片５３を別の打抜き用金型（図示せず）で打ち抜くことで窓孔５０を完成する。長孔５１の形成は、始端切込み過程、始端打抜き過程、追切り過程、および終端打抜き過程の順で行われる。
【００６５】
始端切込み過程は、図１５（Ａ）〜（Ｃ）に示すように、パンチ金型１の第１の刃先部４における下流側の打抜き用エッジ４ａの板材送り方向Ａの位置を、板材Ｗに形成しようとする長孔５１（図１４（Ｅ））の始端に一致させるか、または板材送り方向Ａの上流側となるように追切り用金型を位置させ、この追切り用金型のパンチ金型１を打ち下ろして加工を行う。パンチ金型１の最下降時（図１５（Ｂ））の高さは、その第１の刃先部４の切込み・打抜き用エッジ４ｃのみが板材Ｗの上面以下の高さレベルとなるようにする。それにより、第１の刃先部４により板材Ｗにおける第１の刃先部４の下方に位置する箇所を下方に押し下げて、同箇所を板材送り方向Ａに沿う切込み３２（図１４（Ｂ））が入った押下げ片３３とする。押下げ片３３は、板材送り方向Ａの中央部が最も下方に撓み、板材送り方向Ａの両端で板材Ｗの本体部と繋がっている。前記実施形態による板材の長孔形成方法の場合と同様に、切込み３２の両端付近で板材Ｗが加工硬化せず、打抜き面や切込み面にダレがほとんど生じない。
【００６６】
次に、図１６（Ａ）〜（Ｃ）に示すように、板材Ｗを板材送り方向Ａの上流側（図の右方向）にずらして、言い換えると板材Ｗに対して追切り用金型を板材送り方向Ａの下流側に相対的にずらして、上記同様の始端切込み過程の加工を行って、押下げ片３３の板材送り方向Ａの長さを長くする。これは、後の始端打抜き過程において、打抜き孔３４に続く切込み３２が形成されるようにするためである。適正長さの切込み３２が得られるまで、始端切込み過程の加工を複数回行う。
【００６７】
始端打抜き過程は、図１７（Ａ）〜（Ｃ）に示すように、パンチ金型１の第１の刃先部４における下流側の打抜き用エッジ４ａが、前記押下げ片３３の真上に位置するように追切り用金型を位置させ、この追切り用金型のパンチ金型１を打ち下ろして加工を行う。パンチ金型１の最下降時（図１７（Ｂ））の高さは、その第２の刃先部５の切込み・打抜き用エッジ５ｃの全部または一部が板材Ｗの上面以下の高さレベルとなり、かつ第２の刃先部５の打抜き用エッジ５ａが板材Ｗの上面以上の高さレベルであるようにする。それにより、第１の刃先部４により前記押下げ片３３のうちの板材送り方向Ａの上流側の一部分とその板材送り方向Ａの上流側の板材部分とを打ち抜いて打抜き孔３４を形成し、前記押下げ片３３の残り部分をダイ金型４１の前記下流側切欠き４２の上に残存させる。
【００６８】
また、第２の刃先部５により、前記打抜き孔３４に続いて板材送り方向Ａの上流側へ延びる切込み３２（図１４（Ｃ））を形成し、その切込み３２の内側部分を下方に押し下げて舌片状の切込み片３５とする。打抜かれた打抜き片３６は、ダイ金型１１の第１の貫通孔１４を通って落下する。切込み片３５は、その基端で板材Ｗの本体部と繋がっている。
【００６９】
先に説明したように、前記始端切込み過程で第１の刃先部４により形成された切込み３２の両端付近で板材Ｗに加工硬化が生じていないため、始端打抜き過程において第１の刃先部４により押下げ片３３を打ち抜いても、押下げ片３３の切込み３２と打抜き孔３４との重なり部分の端に、個別のパンチ孔を連続形成する場合のような継ぎ目がほとんど残らない。切込み片３５も押下げ片３２と同様に、切込み３２の基端付近で板材Ｗが加工硬化せず、打抜き面や切込み面にダレがほとんど生じない。
【００７０】
追切り過程は、追切り用金型を窓孔５０の内縁に沿って位置をずらせながら複数回繰り返し行う。各追切り過程は、図１８（Ａ）〜（Ｃ）に示すように、始端打抜き過程または前回の追切り過程において形成された切込み片３５の板材送り方向Ａの位置が第１の刃先部３４と第２の刃先部３５とに渡る位置となるように追切り用金型を位置させ、この追切り用金型のパンチ金型１を打ち下ろして加工を行う。パンチ金型１の最下降時（図１８（Ｂ））の高さは、その第２の刃先部５の切込み・打抜き用エッジ５ｃの全部または一部が板材Ｗの上面以下の高さレベルとなり、かつ第２の刃先部５の打抜き用エッジ５ａが板材Ｗの上面以上の高さレベルであるようにする。それにより、第１の刃先部４により切込み片３５を含む板材部分を打ち抜いて打抜き孔３４を形成し、かつ第２の刃先部５により、前記打抜き孔３４に続いて板材送り方向Ａの上流側へ延びる新たな切込み３２を形成し、その切込み３２の内側部分を下方に押し下げて新たな切込み片３５とする。
【００７１】
先に説明したように、切込み片３５の切込み３２の基端付近で板材Ｗに加工硬化が生じていないため、押下げ片３３の切込み３２と打抜き孔３４との重なり部分の端に継ぎ目がほとんど残らない。
【００７２】
始端打抜き過程および各追切り過程で打ち抜かれた打抜き孔３４が連なって長孔５１Ａが形成され、その長孔５１Ａの先端が目標とする長孔５１の終端の寸前まで達する（図１４（Ｄ））と、終端打抜き過程の加工を行う。終端打抜き過程は、図１９（Ａ）〜（Ｃ）に示すように、パンチ金型１の第２の刃先部５における打抜き用エッジ５ａが、最終回の追切り過程で形成された切込み片３５の真上に位置するように追切り用金型を位置させ、この追切り用金型のパンチ金型１を打ち下ろして加工を行う。パンチ金型１の最下降時（図１９（Ｂ））の高さは、その第２の刃先部５の打抜き用エッジ５ａが板材Ｗの下面以下の高さレベルとなるようにする。それにより、最終回の追切り過程で形成された切込み片３５のうちの板材送り方向Ａの下流側の一部分が打ち抜かれて、目標とする長孔３１が形成される（図１４（Ｅ））。打ち抜かれた打抜き片３６は、ダイ金型１１の第２の貫通孔１５を通って落下する。打ち抜かれなかった切込み片３５の残り部分は、ダイ金型４１の上流側切欠き４３の上に残存した状態となる。
【００７３】
上記同様に、窓孔５０の各辺に沿って長孔５１を形成すると、各長孔５１が繋がって、各長孔５１の内側に位置する板材部分５２が除去される（図１４（Ｆ））。この段階では、窓孔５０のコーナー部にアングル状の残り片５３が存在している。この残り片５３の両端部は、始端打抜き過程の加工で残存した押下げ片３３の残り部分と、終端打抜き過程の加工で残存した切込み片３５の残り部分である。別の打抜き用金型（図示せず）により残り片５３を打ち抜くことにより、窓孔５０が完成する。残り片５３の両端部がそれぞれ切込み５２を有する押下げ片３３および切込み片３５であるため、残り片５３の打抜きの重なり部分の端に継ぎ目がほとんど残らない。
【００７４】
以上のとおり、図面を参照しながらこの発明の好適な実施形態を説明したが、この発明の趣旨を逸脱しない範囲内で、種々の追加、変更または削除が可能である。したがって、そのようなものもこの発明の範囲内に含まれる。
【符号の説明】
【００７５】
１  パンチ金型
４  第１の刃先部
４ａ，４ｂ，５ａ  打抜き用エッジ
４ｃ，５ｃ  切込み・打抜き用エッジ
５  第２の刃先部
１１，４１  ダイ金型
１２  刃先部進入孔
１３  仕切り壁
１４  第１の貫通孔
１４ａ，１４ｂ，１４ｃ，１５ａ，１５ｃ  ダイ側エッジ
１５  第２の貫通孔
３１，５１  長孔
３２  切込み
３３  押下げ片
３４  打抜き孔
３５  切込み片
４２  下流側切欠き
４３  上流側切欠き
Ａ  板材送り方向
Ｗ  板材
【図１】
2012093523.tif 000003
【図２】
2012093523.tif 000004
【図３】
2012093523.tif 000005
【図４】
2012093523.tif 000006
【図５】
2012093523.tif 000007
【図６】
2012093523.tif 000008
【図７】
2012093523.tif 000009
【図８】
2012093523.tif 000010
【図９】
2012093523.tif 000011
【図１０】
2012093523.tif 000012
【図１１】
2012093523.tif 000013
【図１２】
2012093523.tif 000014
【図１３】
2012093523.tif 000015
【図１４】
2012093523.tif 000016
【図１５】
2012093523.tif 000017
【図１６】
2012093523.tif 000018
【図１７】
2012093523.tif 000019
【図１８】
2012093523.tif 000020
【図１９】
2012093523.tif 000021
【図２０】
2012093523.tif 000022
【国際調査報告】
2012093523.tif 000023
2012093523.tif 000024
2012093523.tif 000025